(57)【特許請求の範囲】
【請求項１】
画像形成処理におけるエラーを検出するエラー検出手段を備え、用紙に画像を形成する画像形成装置において、
送信先情報と第１送信元情報と第２送信元情報とが登録される記憶手段と、
通信インタフェースと、
該記憶手段の内容を参照し、画像形成ジョブが正常終了した場合には該第１送信元情報及び該送信先情報に基づいて、該通信インタフェースを介し第１送信元から送信先へ少なくとも送信元情報を送信し、該画像形成ジョブ実行中にエラーが検出されて異常終了した場合には該第２送信元情報及び該送信先情報に基づいて、該通信インタフェースを介し第２送信元から該送信先へ少なくとも送信元情報を送信する制御手段と、
を有することを特徴とする画像形成装置。
【請求項２】
該第１送信元情報は第１の電話番号を含み、該第２送信元情報は第２の電話番号を含み、
該制御手段は、該画像形成ジョブが正常終了した場合には該通信インタフェースを介し該第１の電話番号から該送信先へ電話をかけ、該画像形成ジョブ実行中にエラーが検出されて異常終了した場合には該通信インタフェースを介し該第２の電話番号から該送信先へ電話をかける、
ことによりユーザが送信元電話番号に基づいて該画像形成ジョブが正常終了したか否かを判定できるようにしたことを特徴とする請求項１に記載の画像形成装置。
【請求項３】
該第１送信元情報は第１の電子メールアドレスを含み、該第２送信元情報は第２の電子メールアドレスを含み、
該制御手段は、該画像形成ジョブが正常終了した場合には該通信インタフェースを介し該第１の電子メールアドレスから該送信先へ電子メールを送信し、該画像形成ジョブ実行中にエラーが検出されて異常終了した場合には該通信インタフェースを介し該第２の電子メールアドレスから該送信先へ電子メールを送信する、
ことによりユーザが送信元電子メールアドレスに基づいて該画像形成ジョブが正常終了したか否かを判定できるようにしたことを特徴とする請求項１に記載の画像形成装置。
【発明の詳細な説明】
【技術分野】
【０００１】
本発明は、用紙に画像を形成する、プリンタ、複写機、ファクシミリ又は複合機等の画像形成装置に係り、特に、隔れた場所にジョブステータスを通知する画像形成装置に関する。
【背景技術】
【０００２】
下記特許文献１には、コピージョブにおいてジャム、紙無し又はトナー切れなどのエラーが検出された場合に、その情報を音声信号に変換し携帯電話でユーザに通知する装置が開示されている。この装置によれば、大量にコピーする場合に、コピー終了前にユーザが複写装置から離れても、エラーをユーザに通知することができる。
【０００３】
しかしながら、ユーザが電話に出てその音声により内容を聞かなければ正常終了したのか異常終了したのかを知得することができない。
【特許文献１】特開２００３−３４８２８３号
【発明の開示】
【発明が解決しようとする課題】
【０００４】
本発明の目的は、このような問題点に鑑み、ユーザが電話に出てその内容を聞かなくても、画像形成ジョブが正常終了したか否かを迅速に知得することができる画像形成装置を提供することにある。
【課題を解決するための手段】
【０００５】
本発明の第１態様では、画像形成処理におけるエラーを検出するエラー検出手段を備え、用紙に画像を形成する画像形成装置において、
送信先情報と第１送信元情報と第２送信元情報とが登録される記憶手段と、
通信インタフェースと、
該記憶手段の内容を参照し、画像形成ジョブが正常終了した場合には該第１送信元情報及び該送信先情報に基づいて、該通信インタフェースを介し第１送信元から送信先へ少なくとも送信元情報を送信し、該画像形成ジョブ実行中にエラーが検出されて異常終了した場合には該第２送信元情報及び該送信先情報に基づいて、該通信インタフェースを介し第２送信元から該送信先へ少なくとも送信元情報を送信する制御手段とを有する。
【０００６】
本発明による画像形成装置の第２態様では、第１態様において、
該第１送信元情報は第１の電話番号を含み、該第２送信元情報は第２の電話番号を含み、
該制御手段は、該画像形成ジョブが正常終了した場合には該通信インタフェースを介し該第１の電話番号から該送信先へ電話をかけ、該画像形成ジョブ実行中にエラーが検出されて異常終了した場合には該通信インタフェースを介し該第２の電話番号から該送信先へ電話をかける。
【０００７】
本発明による画像形成装置の第３態様では、第１態様において、
該第１送信元情報は第１の電子メールアドレスを含み、該第２送信元情報は第２の電子メールアドレスを含み、
該制御手段は、該画像形成ジョブが正常終了した場合には該通信インタフェースを介し該第１の電子メールアドレスから該送信先へ電子メールを送信し、該画像形成ジョブ実行中にエラーが検出されて異常終了した場合には該通信インタフェースを介し該第２の電子メールアドレスから該送信先へ電子メールを送信する。
【発明の効果】
【０００８】
上記第１態様の構成によれば、画像形成ジョブが正常終了した場合には第１送信元から送信先へ少なくとも送信元情報を送信し、画像形成ジョブ実行中にエラーが検出されて異常終了した場合には第２送信元から該送信先へ少なくとも送信元情報を送信するので、ユーザは第１送信元であるか第２送信元であるかを確認するだけで、画像形成ジョブが正常終了したか否かを迅速に知得することができる。
【０００９】
上記第２態様の構成によれば、ユーザは送信元電話番号を見るだけで画像形成ジョブが正常終了したか否かを迅速に知得することができる。
【００１０】
上記第３態様の構成によれば、ユーザは送信元電子メールアドレスを見るだけで画像形成ジョブが正常終了したか否かを迅速に知得することができる。
【００１１】
本発明の他の目的、構成及び効果は以下の説明から明らかになる。
【実施例１】
【００１２】
図１は、本発明の実施例１に係る画像形成装置１０を用いたシステムのハードウエア構成を示す概略ブロック図である。
【００１３】
画像形成装置１０は、プロセッサにメモリが結合された構成を含む制御装置１１を備え、このプロセッサにはさらに、インタフェースを介しオートシートフィーダ１２、スキャナ１３、プリンタ１４、ハードディスク装置１５及び操作パネル１６が結合されるとともに、ネットワークインタフェースカード１７が結合されている。
【００１４】
オートシートフィーダ１２により搬送される原稿の画像は、スキャナ１３により読み取られて、制御装置１１のメモリに格納され、処理される。
【００１５】
プリンタ１４は、給紙部、画像形成手段、定着器及び用紙搬送手段を備え、画像形成手段は、制御装置１１で処理された画像データに基づいて、感光ドラム上にトナー像を形成し、給紙部からの用紙にトナー像を転写させ、定着器は、このトナー像を用紙に定着させ、用紙搬送手段は、用紙を給紙部から画像形成手段へ搬送し、次いで定着器へ搬送し、さらにトレイ上に排紙させる。
【００１６】
ハードディスク装置１５には、ＯＳ、アプリケーションプログラム及びデータが格納される。このアプリケーションプログラムは、コピー、スキャン、プリント、ＩＰ電話及び電子メール送受信等の機能を実現するためのものである。
【００１７】
操作パネル１６は、例えばタッチパネルであり、ユーザに対し各種設定を行わせるためのものである。操作パネル１６を操作することにより、ハードディスク装置１５には、ジョブ正常終了を示す第１の送信元電話番号Ｎ１及びジョブ異常終了を示す第２の送信元電話番号Ｎ２と、１つ以上の送信先電話番号とが登録されている。
【００１８】
ネットワークインタフェースカード１７は、コンピュータ２０とともにハブ２１に接続されてＬＡＮが構成され、ハブ２１は、ルータ２２を介してインターネット２３に接続される。コンピュータ２０は、ハブ２１及びネットワークインタフェースカード１７を介し制御装置１１に画像データを供給して、プリンを実行させる。インターネット２３には、基地局２４が結合され、基地局２４は電波を介して携帯電話２５と結合される。
【００１９】
オートシートフィーダ１２はジャムなどのエラーを検出してその信号を制御装置１１へ供給し、スキャナ１３は、ランプ切れなどのエラーを検出してその信号を制御装置１１へ供給し、プリンタ１４は、ジャム、紙無し、トナー切れなどのエラーを検出してその信号を制御装置１１へ供給する。
【００２０】
図２は、図１の制御装置１１による処理を示す概略フローチャートである。以下、括弧内は図中のステップ識別符号である。
【００２１】
例えば、電話２５を携帯したユーザが操作パネル１６のスタートボタンを押下して大量のコピーを開始した後、画像形成装置１０から離れる場合を考える。
【００２２】
（Ｓ０）制御装置１１はユーザに対し操作パネル１６上に設定画面を表示させ、ユーザは操作パネル１６を操作して用紙のサイズやコピー部数等を設定する。制御装置１１は、ジョブステータス通知有無選択の画面を表示させ、ユーザがジョブステータス通知有を選択した場合には、ハードディスク装置１５に登録された電話番号を読み出してメモリに格納させ、送信先電話番号を操作パネル１６に表示させる。ユーザは、表示された送信先電話番号から、携帯電話２５の電話番号Ｎｕを選択する。
【００２３】
（Ｓ１）ユーザによるスタートボタン押下に応答して、制御装置１１は、選択されたコピージョブを実行する。すなわち、オートシートフィーダ１２及びスキャナ１３を駆動して原稿を読み取らせ、そのデータを制御装置１１内のメモリーに格納した後、このデータに対し、操作パネル１６により設定された枠消しや２ｉｎ１集約処理等の画像処理を行い、そのデータをプリンタ１４に供給して用紙に画像を形成させる。このジョブ実行中に、オートシートフィーダ１２、スキャナ１３又はプリンタ１４により上述のようなエラーが検出された場合には、制御装置１１はジョブを異常終了する。
【００２４】
（Ｓ２）ステップＳ０でジョブステータス通知有りが選択された場合には、ステップＳ３へ進み、そうでなければ処理を終了する。
【００２５】
（Ｓ３）ステップＳ１の処理が正常終了した場合にはステップＳ４へ進み、異常終了した場合にはステップＳ５へ進む。
【００２６】
（Ｓ４）送信元電話番号Ｎ１から、ユーザがステップＳ０で選択した送信先電話番号Ｎｕへ設定時間、例えば２秒間電話をかけ、切断して図２の処理を終了する。
【００２７】
ユーザは、携帯電話２５に表示された電話番号を見るだけで、コピージョブが正常に終了したことを知得することができる。
【００２８】
（Ｓ５）送信元電話番号Ｎ２から、ユーザがステップＳ０で選択した送信先電話番号Ｎｕへ設定時間、例えば２秒間電話をかけ、切断して図２の処理を終了する。
【００２９】
ユーザは、携帯電話２５に表示された電話番号を見るだけで、コピージョブが異常終了したことを知得することができる。
【００３０】
携帯電話２５において、これら正常終了及び異常終了の電話番号にそれぞれ例えば「コピーＯＫ」及び「コピーＮＧ」の名前対応付け登録を行うことにより、図３（Ａ）に示すように、ユーザはより容易に正常終了か否かを知得することが可能となる。
【００３１】
なお、本発明には外にも種々の変形例が含まれる。
【００３２】
例えば、上記実施例では、通知手段としてＩＰ電話を用いる場合を説明したが、交換機を介した電話であってもよいことは勿論である。また、電話の替わりに電子メールを用いて同様の処理を行い、これら正常終了及び異常終了の電子メールアドレスのアカウント名にそれぞれ例えば「copy-ok」及び「copy-ng」の文字を入れておくことにより、図３（Ｂ）に示すように、ユーザはより容易に正常終了か否かを知得することが可能となる。
【００３３】
また、ジョブ異常終了の場合にはエラー原因を示す情報を電子メールの内容に含ませる構成であってもよい。
【００３４】
さらに、上記実施例では本発明をコピージョブに適用した場合を説明したが、本発明はこれに限定されず、プリントやファクシミリなどの画像形成装置に適用可能である。
【図面の簡単な説明】
【００３５】
【図１】本発明の実施例１に係る画像形成装置を用いたシステムのハードウエア構成を示す概略ブロック図である。
【図２】図１の制御装置による処理を示す概略フローチャートである。
【図３】（Ａ）はジョブステータスを携帯電話に通知したときの電話受信履歴表示画面を示し、（Ｂ）はジョブステータスを携帯電話に通知したときのメール受信履歴表示画面を示す説明図である。
【符号の説明】
【００３６】
１０  画像形成装置
１１  制御装置
１２  オートシートフィーダ
１３  スキャナ
１４  プリンタ
１５  ハードディスク装置
１６  操作パネル
１７  ネットワークインタフェースカード
２０  コンピュータ
２１  ハブ
２２  ルータ
２３  インターネット
２４  基地局
２５  携帯電話
【図１】
0004438756.tif 000002
【図２】
0004438756.tif 000003
【図３】
0004438756.tif 000004